(57)【要約】【課題】曝射されるＸ線の線量の、装置ごとに生じるばらつきを管理することが可能なＸ線ＣＴ装置、線量表示システムおよび線量表示方法を提供することである。【解決手段】Ｘ線ＣＴ装置１０は、Ｘ線を被検体に向けて曝射するＸ線曝射手段１３と、被検体Ｏを透過したＸ線を検出するＸ線検出手段１５と、Ｘ線検出手段１５によって検出されたデータから画像を再構成するデータ処理手段１２と、Ｘ線曝射手段１３によって曝射されたＸ線の線量を測定する線量測定手段１７と、線量測定手段１７を撮影領域と退避位置との間で移動させる移動手段１９と、移動手段１９を制御する制御手段１２とを有する。【選択図】  図１
2008073201.tif 000002
【特許請求の範囲】
【請求項１】
Ｘ線を被検体に向けて曝射するＸ線曝射手段と、
前記被検体を透過したＸ線を検出するＸ線検出手段と、
前記Ｘ線検出手段によって検出されたデータから画像を再構成するデータ処理手段と、
前記Ｘ線曝射手段によって曝射されたＸ線の線量を測定する線量測定手段と、
前記線量測定手段を撮影領域と退避位置との間で移動させる移動手段と、
前記移動手段を制御する制御手段と、
を有することを特徴とするＸ線ＣＴ装置。
【請求項２】
Ｘ線を被検体に向けて曝射するＸ線曝射手段と、
前記被検体を透過したＸ線を検出するＸ線検出手段と、
スキャン条件を設定する設定手段と、
前記設定手段により設定された前記スキャン条件に従ってスキャンの制御を行なうスキャン制御手段と、
前記Ｘ線検出手段によって検出されたデータから画像を再構成するデータ処理手段と、
前記スキャン条件に基づいて、前記Ｘ線による前記被検体の被曝線量の推定値を求め、且つ、前記Ｘ線曝射手段によって曝射されたＸ線の線量の測定値に基づいて前記推定値を補正する線量演算手段と、
補正された推定値を表示させる表示手段と、
を有することを特徴とするＸ線ＣＴ装置。
【請求項３】
前記測定値を得るために前記Ｘ線曝射手段によって曝射された前記Ｘ線の線量を測定する線量測定手段と、
前記線量測定手段を撮影領域と退避位置との間で移動させる移動手段と、
前記移動手段を制御する制御手段と、
をさらに備えることを特徴とする請求項２記載のＸ線ＣＴ装置。
【請求項４】
前記線量演算手段は、前記スキャン条件に応じてそれぞれ取得された測定値に基づいて対応するスキャン条件における推定値を補正するように構成されることを特徴とする請求項２記載のＸ線ＣＴ装置。
【請求項５】
前記線量演算手段は、スリットの幅に応じてそれぞれ取得された測定値に基づいて対応するスリットの幅に対する推定値を補正するように構成されることを特徴とする請求項２記載のＸ線ＣＴ装置。
【請求項６】
前記線量測定手段を着脱可能に前記移動手段に取り付ける着脱手段をさらに備えることを特徴とする請求項１または３記載のＸ線ＣＴ装置。
【請求項７】
Ｘ線ＣＴ装置において測定されたＸ線の線量の測定値および前記測定値を反映した値の少なくとも一方を前記Ｘ線ＣＴ装置からネットワークを介して取得する線量測定値取得手段と、
前記測定値および前記測定値を反映した値の少なくとも一方を評価する評価手段と、
前記評価手段による評価結果を出力する出力手段と、
を有することを特徴とする線量表示システム。
【請求項８】
ユーザ側に設けられたＸ線ＣＴ装置と、
サービス部門側に設けられ、前記Ｘ線ＣＴ装置において測定されたＸ線の線量の測定値および前記測定値を反映した値の少なくとも一方を前記Ｘ線ＣＴ装置からネットワークを介して取得する線量測定値取得手段と、
前記サービス部門側に設けられ、前記測定値および前記測定値を反映した値の少なくとも一方を評価する評価手段と、
前記サービス部門側に設けられ、前記評価手段による評価結果を出力する出力手段と、
を有することを特徴とする線量表示システム。
【請求項９】
前記線量測定値取得手段は、前記測定値を反映した値として前記Ｘ線ＣＴ装置において曝射されるＸ線の線量の推定値を前記測定値に基づいて補正するための補正係数を取得するように構成されることを特徴とする請求項７または８記載の線量表示システム。
【請求項１０】
前記評価手段は、前記測定値および前記測定値を反映した値の少なくとも一方が一定の割合以上変化した場合に対応するＸ線ＣＴ装置が異常であると判定するように構成されることを特徴とする請求項７または８記載の線量表示システム。
【請求項１１】
前記評価手段は、前記測定値および前記測定値を反映した値の少なくとも一方が予め決定された対応する上限値および下限値の範囲外となった場合に対応するＸ線ＣＴ装置が異常であると判定するように構成されることを特徴とする請求項７または８記載の線量表示システム。
【請求項１２】
Ｘ線ＣＴ装置において測定されたＸ線の線量の測定値および前記測定値を反映した値の少なくとも一方を前記Ｘ線ＣＴ装置からネットワークを介して取得するステップと、
前記測定値および前記測定値を反映した値の少なくとも一方を評価するステップと、
前記評価手段による評価結果を出力するステップと、
を有することを特徴とする線量表示方法。
【発明の詳細な説明】
【技術分野】
【０００１】
本発明は、曝射されるＸ線の線量を測定することによって装置ごとに生じる線量のばらつきを管理することが可能なＸ線ＣＴ(computed tomography)装置、線量表示システムおよび線量表示方法に関する。
【背景技術】
【０００２】
画像診断装置の１つとしてＸ線ＣＴ装置がある。Ｘ線ＣＴ装置は、Ｘ線管およびＸ線検出器を対向配置し、被検体の周囲を回転するＸ線管から曝射され、被検体を透過した各回転方向からのＸ線をＸ線管に対向するＸ線検出器によって検出し、Ｘ線検出データに対して画像再構成処理を施すことによって被検体の断層像を得る装置である。
【０００３】
Ｘ線ＣＴ装置では、通常のスキャンを行う場合、スキャン条件の設定時にコンソール上に被検体の被曝線量の推定値が表示されるようになっている（例えば特許文献１参照）。そのために線量値とスキャン条件を示す各種パラメータとを関連付けた線量パラメータテーブルが予めＸ線ＣＴ装置に備えられる。線量パラメータテーブルは、通常Ｘ線ＣＴ装置のメーカー側により作成され、線量パラメータテーブルが備わったＸ線ＣＴ装置が医療機関等のユーザ側に提供される。
【０００４】
図８は、従来のＸ線ＣＴ装置における被検体の被曝線量の推定値の表示手順を示すフローチャートであり、図中Ｓに数字を付した符号はフローチャートの各ステップを示す。
【０００５】
まずステップＳ１において、ユーザが、コンソールの操作によってスキャン条件を設定するために各パラメータを決定する。
【０００６】
そうすると、ステップＳ２において、設定されたスキャン条件に合致する線量値が線量パラメータテーブルから読み込まれる。
【０００７】
そして、ステップＳ３において、線量パラメータテーブルから読み込まれた線量値が推定値としてコンソールに表示される。
【特許文献１】特開２００５−２３０４２６号公報
【発明の開示】
【発明が解決しようとする課題】
【０００８】
しかしながら、Ｘ線ＣＴ装置には、管球アライメント（管球の焦点位置）やＸ線の曝射方向に設けられるスリットの幅等の特性に誤差があり、Ｘ線ＣＴ装置ごとに異なる。例えば、スリットの幅は、通常ミリメートルオーダからミクロンオーダで任意に設定可能であるが隙間ゲージを挿入して調整されるため厳密には正確ではない。例えば、スリット幅を４ｍｍに調整した場合には、ミクロンオーダで誤差が生じる場合がある。
【０００９】
従って、実際に撮影領域に曝射されるＸ線の線量を線量計プローブを用いて測定すると、コンソールに表示された被検体の被曝線量の推定値と比較して経験上最大約１０％程度の誤差が生じる。線量の測定値の推定値からの誤差は、Ｘ線ＣＴ装置ごとに異なる。このため、ユーザ側に複数のＸ線ＣＴ装置が存在する場合には、スキャン条件を同一にして各Ｘ線ＣＴ装置を用いてスキャンを行ったとしても線量計プローブで各Ｘ線ＣＴ装置におけるＸ線の線量値を測定すると、線量の測定値がＸ線ＣＴ装置ごとに若干異なるものとなる。
【００１０】
しかしながら、コンソールには、Ｘ線ＣＴ装置ごとの線量のばらつきに依らずに設定された線量パラメータテーブルに基づく被検体の被曝線量の推定値が表示される。このため、Ｘ線ＣＴ装置が異なっていても、スキャン条件が同一であれば、同一の線量の推定値が表示される。
【００１１】
図９は、従来の複数のＸ線ＣＴ装置のコンソールに表示される被検体の被曝線量の推定値と、Ｘ線の測定値とを比較した例を示す図である。
【００１２】
例えば、３台のＸ線ＣＴ装置１Ａ、１Ｂ、１Ｃにおいてそれぞれ同一のスキャン条件を設定すると、各コンソール２Ａ、２Ｂ、２Ｃには、スキャン条件に応じた同一の線量の推定値が線量パラメータテーブル３Ａ，３Ｂ，３Ｃから抽出されて表示される。図９は、スキャン条件として管電圧を120kV、管電流を100mAs、スリット幅を1mm、Ｘ線検出器に配置されるＸ線検出素子のサイズおよび列数を4mm×４列、撮影視野(FOV: field of view)のサイズをM(middle)サイズとした結果、線量の推定値が10.0mGyとなった例を示している。
【００１３】
一方、各Ｘ線ＣＴ装置１Ａ、１Ｂ、１Ｃにそれぞれ線量計プローブ４Ａ、４Ｂ、４Ｃを設置して線量を測定すると、それぞれ9.5mGy, 10.0mGy, 10.5mGyとなった。このようにＸ線ＣＴ装置１Ａ、１Ｂ、１ＣごとにＸ線の線量の測定値は異なる一方、コンソール２Ａ、２Ｂ、２Ｃに表示される被検体の被曝線量の推定値は同一となる。例えば、Ｘ線ＣＴ装置１Ａのコンソール１Ｂには、10.0mGyと線量の推定値が表示されているのに対し、線量の測定値は9.5mGyである。
【００１４】
尚、図９に示す線量の測定値は、CTDIvol (Volume CTDI100 value)である。CTDIvolは、アクリルファントムの中心と周辺の４箇所の合計５箇所において、10cmチェンバ式線量計で測定されたCTDI100 (Computed Tomography Dose Index 100)から求めたCTDIw (weighted CTDI100)を基に計算で求めた値である。CTDIvol、CTDI100、CTDIwの定義は、いずれも国際電気標準会議(IEC: International Electrotechnical Commission)60601に規定されている。
【００１５】
このような背景の下、Ｘ線ＣＴ装置において、コンソールに表示される被検体の被曝線量の推定値をＸ線の測定値に近づけることが望まれる。そこで、従来、メーカー側のサービス部門担当者がＸ線ＣＴ装置をユーザ側に納入する際には、Ｘ線ＣＴ装置間における線量の誤差を補正するために線量の測定が行われる。
【００１６】
さらに、Ｘ線ＣＴ装置の納入後においても、正確な線量を把握することが重要である。すなわち、定期的に一定の頻度でＸ線ＣＴ装置ごとに線量を測定し、それぞれ正確に線量の補正を行うことにより線量値を管理することが重要である。
【００１７】
ところが、Ｘ線ＣＴ装置の納入後に線量補正を行おうとする場合には、ユーザ側で線量計プローブおよびファントムを準備し、かつ線量の測定を行うか、またはサービス部門担当者がユーザ側に赴いて線量測定を行うことが必要となる。
【００１８】
しかしながら、サービス部門担当者がユーザ側に赴いて度々線量測定を行うこととすると、手間、労力、時間を要し、負担が大きすぎるという問題がある。一方、ユーザ側で線量測定を行おうとする場合、線量計プローブとファントムを備える必要が生じコスト的に困難である。また、線量プローブおよびファントムの設定を伴う線量の測定には、３０分以上の時間を要する。
【００１９】
この結果、Ｘ線の線量を頻繁に測定し、管理するのは非常に困難となっている。
【００２０】
本発明はかかる従来の事情に対処するためになされたものであり、曝射されるＸ線の線量の、装置ごとに生じるばらつきを管理することが可能なＸ線ＣＴ装置、線量表示システムおよび線量表示方法を提供することを目的とする。
【００２１】
また、本発明の別の目的は、曝射されるＸ線の線量をスキャン条件に基づいてより正確に予測することが可能なＸ線ＣＴ装置を提供することである。
【課題を解決するための手段】
【００２２】
本発明に係るＸ線ＣＴ装置は、上述の目的を達成するために、請求項１に記載したように、Ｘ線を被検体に向けて曝射するＸ線曝射手段と、前記被検体を透過したＸ線を検出するＸ線検出手段と、前記Ｘ線検出手段によって検出されたデータから画像を再構成するデータ処理手段と、前記Ｘ線曝射手段によって曝射されたＸ線の線量を測定する線量測定手段と、前記線量測定手段を撮影領域と退避位置との間で移動させる移動手段と、前記移動手段を制御する制御手段とを有することを特徴とするものである。
【００２３】
本発明に係るＸ線ＣＴ装置は、上述の目的を達成するために、請求項２に記載したように、Ｘ線を被検体に向けて曝射するＸ線曝射手段と、前記被検体を透過したＸ線を検出するＸ線検出手段と、スキャン条件を設定する設定手段と、前記設定手段により設定された前記スキャン条件に従ってスキャンの制御を行なうスキャン制御手段と、前記Ｘ線検出手段によって検出されたデータから画像を再構成するデータ処理手段と、前記スキャン条件に基づいて、前記Ｘ線による前記被検体の被曝線量の推定値を求め、且つ、前記Ｘ線曝射手段によって曝射されたＸ線の線量の測定値に基づいて前記推定値を補正する線量演算手段と、補正された推定値を表示させる表示手段とを有することを特徴とするものである。
【００２４】
また、本発明に係る線量表示システムは、上述の目的を達成するために、請求項７に記載したように、Ｘ線ＣＴ装置において測定されたＸ線の線量の測定値および前記測定値を反映した値の少なくとも一方を前記Ｘ線ＣＴ装置からネットワークを介して取得する線量測定値取得手段と、前記測定値および前記測定値を反映した値の少なくとも一方を評価する評価手段と、前記評価手段による評価結果を出力する出力手段とを有することを特徴とするものである。
【００２５】
また、本発明に係る線量表示システムは、上述の目的を達成するために、請求項８に記載したように、ユーザ側に設けられたＸ線ＣＴ装置と、サービス部門側に設けられ、前記Ｘ線ＣＴ装置において測定されたＸ線の線量の測定値および前記測定値を反映した値の少なくとも一方を前記Ｘ線ＣＴ装置からネットワークを介して取得する線量測定値取得手段と、前記サービス部門側に設けられ、前記測定値および前記測定値を反映した値の少なくとも一方を評価する評価手段と、前記サービス部門側に設けられ、前記評価手段による評価結果を出力する出力手段とを有することを特徴とするものである。
【００２６】
また、本発明に係る線量表示方法は、上述の目的を達成するために、請求項１２に記載したように、Ｘ線ＣＴ装置において測定されたＸ線の線量の測定値および前記測定値を反映した値の少なくとも一方を前記Ｘ線ＣＴ装置からネットワークを介して取得するステップと、前記測定値および前記測定値を反映した値の少なくとも一方を評価するステップと、前記評価手段による評価結果を出力するステップとを有することを特徴とするものである。
【発明の効果】
【００２７】
本発明に係るＸ線ＣＴ装置、線量表示システムおよび線量表示方法においては、曝射されるＸ線の線量の、装置ごとに生じるばらつきを管理することができる。
【００２８】
また、本発明に係るＸ線ＣＴ装置においては、曝射されるＸ線の線量をスキャン条件に基づいてより正確に予測することができる。
【発明を実施するための最良の形態】
【００２９】
本発明に係るＸ線ＣＴ装置、線量表示システムおよび線量表示方法の実施の形態について添付図面を参照して説明する。
【００３０】
図１は本発明に係るＸ線ＣＴ装置の実施の形態を示す構成図である。
【００３１】
Ｘ線ＣＴ装置１０は、ガントリ部１１およびコンピュータ装置１２とから構成される。ガントリ部１１は、Ｘ線管１３、高電圧発生装置１４、Ｘ線検出器１５、データ収集部（DAS）１６、線量計プローブ１７、プローブ着脱機構１８、プローブ移動機構１９を有する。
【００３２】
Ｘ線管１３とＸ線検出器１５とは、高速で且つ連続的に回転する図示しない回転リングに被検体Ｏを挟んで互いに対向する位置に搭載される。そして、図示しない制御装置からの制御信号によって高電圧発生装置１４から所定の管電圧の管電流がＸ線管１３に供給され、任意の回転位置において、Ｘ線管１３から所望のエネルギのＸ線を被検体Ｏに曝射できるように構成されている。Ｘ線検出器１５は、２次元状に配置した複数のＸ線検出素子を備えている。そして、３６０度方向から被検体Ｏを透過したＸ線は、Ｘ線検出器１５の各Ｘ線検出素子によって検出される。
【００３３】
DAS１６は、Ｘ線検出器１５の各Ｘ線検出素子１２から電気信号として出力されたＸ線検出データに対して増幅、積分処理、Ａ／Ｄ変換処理、対数変換処理等のDAS処理を施すことによって各Ｘ線検出素子１２にそれぞれ対応する投影データを生成する機能と、生成した投影データをコンピュータ装置１２に出力する機能を備えている。
【００３４】
線量計プローブ１７は、Ｘ線管１３から曝射されたＸ線の線量を測定する機能を備えている。線量計プローブ１７は、例えば10cmチェンバ式線量計で構成することができる。線量計プローブ１７は、プローブ着脱機構１８を介してプローブ移動機構１９に着脱自在に取り付けられている。このため、線量計プローブ１７が破損した場合には、容易に線量計プローブ１７を交換することができる。また、線量計プローブ１７はコンピュータ装置１２と接続され、Ｘ線の線量の測定結果をコンピュータ装置１２に出力するように構成されている。
【００３５】
プローブ移動機構１９は、コンピュータ装置１２と接続され、コンピュータ装置１２からの制御信号に従って線量計プローブ１７を撮影領域に移動させる機能と、撮影領域から線量計プローブ１７を退避させる機能とを備えている。すなわち、プローブ移動機構１９により線量計プローブ１７を撮影領域の定位置に自動的に配置することが可能である。そして、撮影領域の所定の位置に曝射され、ファントムを透過したＸ線の線量を線量計プローブ１７によって測定できるように構成されている。
【００３６】
コンピュータ装置１２は、演算装置１２ａ、記憶装置１２ｂ、表示装置１２ｃ、入力装置１２ｄを備えている。そして、表示装置１２ｃおよび入力装置１２ｄによってコンソール１２ｅが形成される。記憶装置１２ｂに保存された各種プログラムを演算装置１２ａで実行することにより、コンピュータ装置１２にはスキャン条件を設定し、設定したスキャン条件に従ってスキャンを実行させる機能と、設定されたスキャン条件に従ってＸ線検出器１５からDAS１６を経て取得した投影データから所望のスライス厚の画像データを生成するためのデータ処理機能とが備えられる。さらに、コンピュータ装置１２には、スキャン条件を設定する際に、設定されたスキャン条件に基づいて被検体Ｏに曝射されるＸ線の線量、すなわち被検体Ｏの被曝線量の推定値を表示装置１２ｃに表示させる機能が備えられる。また、コンピュータ装置１２に各種機能を備えるために回路を設けてもよい。
【００３７】
図２は、図１に示すコンピュータ装置１２の機能ブロック図である。
【００３８】
コンピュータ装置１２は、プログラムの実行によりプローブ制御部２０、線量パラメータテーブル２１、スキャン条件設定部２２、推定線量検索部２３、補正係数算出部２４、推定線量補正部２５、データ処理部２６として機能する。
【００３９】
プローブ制御部２０は、入力装置１２ｄからの指示情報に従って線量計プローブ１７を退避位置から撮影領域の定位置あるいは退避位置から撮影領域の定位置に移動させるようにプローブ移動機構１９に制御信号を与える機能を有する。
【００４０】
線量パラメータテーブル２１には、予めスキャン条件を決定するパラメータと被検体Ｏの被曝線量の推定値とが関連付けられて保存されている。スキャン条件を決定するパラメータとしては、例えばＸ線管１３に印加される管電圧、Ｘ線管１３に供給される管電流、スリット幅、FOV、Ｘ線検出器１５に備えられるＸ線検出素子の列数等のパラメータが挙げられる。各パラメータの値は、連続的な値あるいはとびとびの複数の固定値のいずれであってもよい。例えば、管電圧の値は、80kV, 100kV, 120kV, 135kVのいずれか、管電流の値は50〜500mAs（標準的には100mAs程度）、スリット幅の値は0.5mm, 1mm, 2mm, 4mm, 6mm, 8mmのいずれか、FOVはサイズが大きい側から設定されたLL, L, M, S, SSのいずれか、Ｘ線検出素子の列数としては１列、２列、４列、１６列のいずれかとなる。
【００４１】
そして、スキャン条件が各パラメータの値によって決定されると一義的に被検体Ｏの被曝線量の推定値が得られるように各パラメータの値の組み合わせと被検体Ｏの被曝線量の推定値とが関連付けられている。各パラメータの値および被検体Ｏの被曝線量の推定値はメーカーのサービス部門側において関連付けて線量パラメータテーブル２１に保存することができる。
【００４２】
スキャン条件設定部２２は、入力装置１２ｄからの指示情報に従ってスキャン条件を決定する各パラメータを設定する機能と設定したスキャン条件、すなわち各パラメータの組み合わせを推定線量検索部２３に与える機能とを有する。また、スキャン条件設定部２２は、入力装置１２ｄからスキャンの開始指示を受けた場合には、設定されたスキャン条件に従ってスキャンが実行されるように高電圧発生装置１４や図示しない寝台駆動装置に制御信号を与える機能を備えている。
【００４３】
推定線量検索部２３は、スキャン条件設定部２２から取得したスキャン条件に対応する被検体Ｏの被曝線量の推定値を線量パラメータテーブル２１から取得する機能を有する。また、入力装置１２ｄから被検体Ｏの被曝線量の推定値に対する補正係数の算出指示を受けた場合には、推定線量検索部２３は、取得した被検体Ｏの被曝線量の推定値を補正係数算出部２４に、その他の場合には、推定線量補正部２５に与えるように構成される。
【００４４】
補正係数算出部２４は、線量計プローブ１７からＸ線の線量の測定値を取得する機能、Ｘ線の線量の測定値と推定線量検索部２３から取得した被検体Ｏの被曝線量の推定値とから被検体Ｏの被曝線量の推定値に対する補正係数を算出する機能および算出した補正係数を推定線量補正部２５に与える機能を有する。補正係数の算出方法としては、Ｘ線の線量の測定値と被検体Ｏの被曝線量の推定値との差または比を求める方法が挙げられる。以下、補正係数を、Ｘ線の線量の測定値と被検体Ｏの被曝線量の推定値との比として説明する。
【００４５】
補正係数は、Ｘ線ＣＴ装置１０ごとに１つの値としてもよいが、パラメータの値に応じて異なる値としてもよい。例えば、スリット幅の値のよって補正係数の値が変化する可能性が高いため、スリット幅の値別に補正係数の値を求めるようにすれば、補正係数をより正確に決定することができる。
【００４６】
推定線量補正部２５は、補正係数算出部２４から受けた補正係数を用いて推定線量検索部２３から取得した被検体Ｏの被曝線量の推定値を補正する機能と、補正後の被検体Ｏの被曝線量の推定値を表示装置１２ｃに表示させる機能とを有する。
【００４７】
データ処理部２６は、Ｘ線検出器１５からDAS１６を経て取得した投影データから所望のスライス厚の画像データを生成する機能と、生成した画像データを表示装置１２ｃに表示させる機能とを有する。
【００４８】
次にＸ線ＣＴ装置１０の動作および作用について説明する。
【００４９】
図３は、図１に示すＸ線ＣＴ装置１０において、スキャン条件の設定時に表示装置１２ｃに表示される被検体Ｏの被曝線量の推定値を補正するための補正係数を求め、求めた補正係数を用いて被検体Ｏの被曝線量の推定値を補正して表示させる際の流れを示すフローチャートであり、図中Ｓに数字を付した符号はフローチャートの各ステップを示す。
【００５０】
Ｘ線ＣＴ装置１０では補正係数の算出が定期的に行われ、算出された補正係数を用いた被検体Ｏの被曝線量の推定値の補正はスキャン条件が設定される度に行われる。補正係数はＸ線ＣＴ装置１０に経年変化がないと仮定すれば一定であるが現実にはＸ線ＣＴ装置１０ごとの経年変化によって変換する。従って、補正係数の算出は、キャリブレーションを行う際に併せて行うことがＸ線の線量の管理を容易化する観点および補正係数の精度を維持する観点から好適である。
【００５１】
キャリブレーションは、一般的には一週間に１回程度行われる画質調整である。これは、特にＸ線検出器１５の形状が熱膨張により変化することによって、１週間程度で画質に影響がでるためである。このため、Ｘ線ＣＴ装置１０の各構成要素の経時変化を調べるためにもキャリブレーションが行われる。つまり、キャリブレーションのたびに補正係数も変わり得ると考えられるため、補正係数の算出タイミングとしては都合が良いこととなる。
【００５２】
キャリブレーションは、水やポリプロピレン等の材料で構成されたファントムを用いてＸ線を曝射することによって行うことが可能であるが、空気のみで行われる場合もある。空気のみで行われるキャリブレーションは、エアキャリブレーションと呼ばれる。
【００５３】
例えば、定期的に実施されるエアキャリブレーション後にパラメータの値を変えて、パラメータの値ごとに補正係数を求めることができる。そうすることにより、Ｘ線の線量が変化したとしても、Ｘ線の線量の経年変化に伴って定期的に行われるキャリブレーション時に補正係数が再計算され、必要な補正係数の精度を維持することができる。また、キャリブレーションの結果とともに補正係数の値を記録することによりＸ線の線量の管理が容易となる。
【００５４】
そのためにまずステップＳ１０において、入力装置１２ｄの操作によって補正係数の取得指示がプローブ制御部２０に与えられる。
【００５５】
次にステップＳ１１において、プローブ制御部２０は、入力装置１２ｄからの補正係数の取得指示に従って線量計プローブ１７を退避位置から撮影領域の定位置に移動させるようにプローブ移動機構１９に制御信号を与える。プローブ移動機構１９は、プローブ制御部２０からの制御信号に従って線量計プローブ１７を撮影領域に移動させる。
【００５６】
次にステップＳ１２において、入力装置１２ｄから取得対象となる補正係数に対応するスキャン条件のパラメータ値とともにスキャンの開始指示がスキャン条件設定部２２に与えられる。スキャン条件設定部２２は、設定されたスキャン条件に従ってスキャンが実行されるように高電圧発生装置１４や図示しない寝台駆動装置に制御信号を与える。
【００５７】
これにより、高電圧発生装置１４から設定された管電圧がＸ線管１３に印加される。また、設定された管電流がＸ線管１３に供給される。そして設定されたスキャン条件でＸ線がＸ線管１３から曝射される。
【００５８】
線量計プローブ１７は、Ｘ線管１３から曝射されたＸ線の線量を測定し、測定値a(mGy)を補正係数算出部２４に与える。
【００５９】
一方、ステップＳ１３において、プローブ制御部２０は、線量計プローブ１７を撮影領域の定位置から退避位置に移動させるようにプローブ移動機構１９に制御信号を与える。プローブ移動機構１９は、プローブ制御部２０からの制御信号に従って線量計プローブ１７を退避位置に退避させる。
【００６０】
プローブ制御部２０がプローブ移動機構１９に制御信号を与えるタイミングやトリガは、任意に予め決定しておくことができる。例えば、入力装置１２ｄから線量計プローブ１７の退避指示がプローブ制御部２０に与えられた場合に、退避指示に応答してプローブ制御部２０がプローブ移動機構１９に制御信号を与えるようにしてもよい。また、補正係数算出部２４が線量計プローブ１７からＸ線の線量の測定値a(mGy)を取得した場合に、補正係数算出部２４が線量計プローブ１７の退避指示をプローブ制御部２０に与えるようにしてもよい。入力装置１２ｄの操作によらずに線量計プローブ１７が退避されるようにすれば、線量計プローブ１７の退避を自動化し、ユーザの操作を容易にすることができる。
【００６１】
また、ステップＳ１４において、スキャン条件設定部２２は、補正係数の取得用に設定されたスキャン条件を推定線量検索部２３に与える。推定線量検索部２３は、補正係数の取得用のスキャン条件に対応する被検体Ｏの被曝線量の推定値b(mGy)を線量パラメータテーブル２１から取得する。そして、推定線量検索部２３は、取得した被検体Ｏの被曝線量の推定値b(mGy)を補正係数算出部２４に与える。推定線量検索部２３による被検体Ｏの被曝線量の推定値b(mGy)の取得は、上述したＸ線の曝射や線量測定前に行ってもよい。
【００６２】
次にステップＳ１５において、補正係数算出部２４は、線量計プローブ１７から取得したＸ線の線量の測定値a(mGy)と推定線量検索部２３から取得した被検体Ｏの被曝線量の推定値b(mGy)とから、補正係数Ｐを算出する。補正係数ＰがＸ線の線量の測定値a(mGy)と被検体Ｏの被曝線量の推定値b(mGy)との比で定義されている場合には、補正係数算出部２４は、式（１）により補正係数Ｐを計算する。
【００６３】
［数１］
Ｐ=a/b    (1)
Ｘ線の線量の測定値a(mGy)、被検体Ｏの被曝線量の推定値b(mGy)および補正係数Ｐは、必要に応じて表示装置１２ｃに表示させることができる。
【００６４】
このようにしてスキャン条件のパラメータ値ごとに補正係数Ｐを求めることができる。そして、求められた補正係数Ｐは、推定線量補正部２５に与えられる。そして、推定線量補正部２５には、パラメータ値と関連付けられて補正係数Ｐが保存される。このように補正係数Ｐが求められると、実際のスキャン用に、より正確に被検体Ｏの被曝線量の推定値を表示装置１２ｃに表示させてスキャン条件を設定することが可能となる。
【００６５】
すなわち、ステップＳ１６において、入力装置３ｃから指示情報がスキャン条件設定部２２に与えられ、実際のスキャン用のパラメータ値がスキャン条件として設定される。設定されたスキャン条件は、スキャン条件設定部２２から推定線量検索部２３に与えられる。
【００６６】
次にステップＳ１７において、推定線量検索部２３は、設定されたスキャン条件に対応する被検体Ｏの被曝線量の推定値c(mGy)を線量パラメータテーブル２１から取得する。そして、推定線量検索部２３は、取得した被検体Ｏの被曝線量の推定値c(mGy)を推定線量補正部２５に与える。
【００６７】
次にステップＳ１８において、推定線量補正部２５は、補正係数算出部２４から取得した補正係数Ｐを用いて推定線量検索部２３から取得した被検体Ｏの被曝線量の推定値c(mGy)を補正する。補正係数ＰがＸ線の線量の測定値a(mGy)と被検体Ｏの被曝線量の推定値b(mGy)との比で定義されている場合には、推定線量補正部２５は、式（２）により被検体Ｏの被曝線量の推定値c(mGy)を補正する。これにより補正後における被検体Ｏの被曝線量の推定値c’(mGy)が得られる。
【００６８】
［数２］
c’=c×Ｐ=c×a/b (mGy)     (2)
【００６９】
次にステップＳ１９において、推定線量補正部２５は、補正後の線量の推定値c’(mGy)をコンソール１２ｅの表示装置１２ｃに表示させる。この結果、ユーザは、補正後におけるより正確なＸ線の線量値をスキャンに先立つスキャン条件設定時に把握することができる。そして、パラメータ値を変更することによってスキャン条件を再設定すると再びステップＳ１６からステップＳ１９の処理によって再設定されたスキャン条件に対応する被検体Ｏの被曝線量の推定値c’(mGy)がコンソール１２ｅの表示装置１２ｃに表示される。
【００７０】
図４は、図１に示すＸ線ＣＴ装置１０が複数台存在する場合に表示装置１２ｃにスキャン条件とともに表示される被検体Ｏの被曝線量の推定値c’(mGy)の一例を示す図である。
【００７１】
図４に示すように例えば３台のＸ線ＣＴ装置１０が存在する場合、エアキャリブレーション時に各線量計プローブ１７によって予め補正係数Ｐの取得用にそれぞれのＸ線管１３から曝射されたＸ線の線量の測定値a(mGy)が得られる。図４の例では、Ｘ線ＣＴ装置１０ごとに測定値a(mGy)が異なり、それぞれの測定値a(mGy)は、190mGy, 200mGy, 210mGyとなっている。
【００７２】
そして、各補正係数算出部２４では、各推定線量検索部２３により各線量パラメータテーブル２１から取得された補正係数Ｐの取得用のスキャン条件に対応する被検体Ｏの被曝線量の推定値b=200(mGy)でＸ線の線量の各測定値a=190, 200, 210(mGy)を除算することによってＸ線ＣＴ装置１０ごとに補正係数Ｐが求められる。
【００７３】
一方、スキャン時には、各推定線量補正部２５において、各推定線量検索部２３により各線量パラメータテーブル２１から取得されたスキャン条件に対応する被検体Ｏの被曝線量の推定値c=10(mGy)にＸ線ＣＴ装置１０ごとの補正係数Ｐをそれぞれ乗じることにより被検体Ｏの被曝線量の推定値c=10(mGy)が補正される。そして、補正後における被検体Ｏの被曝線量の推定値c’=9.5, 10.0, 10.5mGyが表示装置１２ｃに表示される。
【００７４】
すなわち、エアキャリブレーション時に既に補正係数Ｐが求められているため、スキャン時には、補正係数Ｐを算出する必要がなく、補正係数Ｐを参照して演算に用いるのみとなる。
【００７５】
そして、スキャン条件が確定し、入力装置１２ｄからスキャンの開始指示がスキャン条件設定部２２に与えられると、スキャン条件設定部２２は確定したスキャン条件に従ってスキャンが実行されるように高電圧発生装置１４や図示しない寝台駆動装置に制御信号を与える。これにより、設定されたスキャン条件に従ってＸ線がＸ線管１３から曝射され、被検体Ｏを透過したＸ線がＸ線検出器１５の各Ｘ線検出素子によって検出される。
【００７６】
Ｘ線検出器１５の各Ｘ線検出素子１２において検出されたＸ線検出データは電気信号としてDAS１６に与えられ、DAS１６ではＸ線検出データに対する増幅、積分処理、Ａ／Ｄ変換処理、対数変換処理等のDAS処理が実行される。この結果生成された投影データは、DAS１６からコンピュータ装置１２のデータ処理部２６に出力される。
【００７７】
データ処理部２６では、投影データから所望のスライス厚の画像データが生成され、生成された画像データは表示装置１２ｃに表示される。このとき、データ処理にＸ線の線量が用いられる場合には、スキャン条件に対応した被検体Ｏの被曝線量の推定値c(mGy)に補正係数Ｐを乗じた補正後における被検体Ｏの被曝線量の推定値c’(mGy)が用いられる。従って、Ｘ線の線量の測定値a(mGy)に基づくより正確なデータ処理が可能となる。
【００７８】
つまり以上のようなＸ線ＣＴ装置１０は、ガントリ部１１に線量計プローブ１７を移動可能に内蔵する一方、コンピュータ装置１２でプログラムを実行することにより、線量計プローブ１７によってＸ線の線量を自動測定できるようにしたものである。さらに、線量計プローブ１７によって測定された線量の測定値を用いて線量パラメータテーブル２１から取得した線量の推定値を補正し、補正後の線量の推定値を表示装置１２ｃに表示させるようにしたものである。
【００７９】
このため、Ｘ線ＣＴ装置１０によれば、Ｘ線の実際の線量を容易かつ自動的に行うことができる。これにより、Ｘ線の測定に必要な時間を削減し、定期的にＸ線の線量を測定することが可能となる。例えば、毎日あるいは定期的に行われるエアキャリブレーション後にＸ線の線量を測定することが可能である。加えて、Ｘ線ＣＴ装置１０がユーザ側に納入される際、サービス部門側の担当者は、線量の測定を省略または簡易に自動測定することができる。
【００８０】
また、従来のＸ線ＣＴ装置におけるコンソール１２ｅには、予めスキャン条件に関連付けられた被検体の被曝線量の推定値が表示されるのに対し、Ｘ線ＣＴ装置１０では、被検体Ｏの被曝線量の推定値に測定値に基づく補正係数を乗じた値が表示される。これにより、Ｘ線ＣＴ装置１０ごとのＸ線の線量差を表示される被検体Ｏの被曝線量の推定値に反映することができる。すなわち、常に、適正な線量の推定値をコンソール１２ｅに表示することができる。
【００８１】
尚、Ｘ線ＣＴ装置１０において、サービス部門の担当者が線量計プローブ１７を持参し、必要な時期にＸ線の線量を測定することによって補正係数を求めるようにしてもよい。この場合には、線量計プローブ１７がＸ線ＣＴ装置１０に内蔵される必要はない。そして、サービス部門の担当者が別途設置した線量計プローブ１７によって得られたＸ線の線量の測定値をコンピュータ装置１２に入力し、補正係数算出部２４が推定線量検索部２３から取得した線量の推定値と測定値とを比較することによって補正係数を求めることができる。
【００８２】
また、サービス部門の担当者がＸ線の線量の測定値と線量パラメータテーブル２１に記憶された線量の推定値とから補正係数を別の計算機で求め、求めた補正係数をコンピュータ装置１２に入力するようにしてもよい。このような手法によって補正係数をＸ線ＣＴ装置に与えるようにすれば、線量計プローブ１７が備わっていない既存のＸ線ＣＴ装置においても線量の推定値を補正することが可能となる。
【００８３】
また、線量計プローブ１７によりパラメータ値ごとに測定されたＸ線の線量の測定値を用いて線量パラメータテーブル２１を作成してもよい。この場合、線量パラメータテーブル２１作成用の測定されたＸ線の線量の測定値と、補正係数の取得用に測定されたＸ線の線量の測定値とから補正係数を求めてもよい。
【００８４】
また、スキャンの実施後に事後的に曝射されたＸ線の線量を確認するために、スキャン条件に応じて線量パラメータテーブル２１から取得した被検体Ｏの被曝線量の推定値を補正係数で補正して表示させてもよい。
【００８５】
図５は本発明に係る線量表示システムの実施の形態を示す機能ブロック図である。
【００８６】
線量表示システム３０は、線量表示サーバ３１を備えている。線量表示サーバ３１はサービス部門側３２に設けられ、インターネットや専用回線等のネットワーク３３に接続される。また、単一または複数のユーザ側３４には、複数のＸ線ＣＴ装置３５が設けられる。各Ｘ線ＣＴ装置３５は、Ｘ線の線量を測定する機能と、Ｘ線の線量の測定値を反映された値、例えば被検体Ｏの被曝線量の推定値を補正するための補正係数を求める機能とを備えている。このため、図１に示すＸ線ＣＴ装置１０と同様な構成とすることができる。各Ｘ線ＣＴ装置３５は、ネットワーク３３を介してサービス部門側３２の線量表示サーバ３１と接続される。
【００８７】
線量表示サーバ３１は、コンピュータにプログラムを読み込ませることにより、あるいは回路によって線量取得部３６、補正係数取得部３７、線量データベース３８、補正係数データベース３９、線量評価部４０として機能する。また、線量表示サーバ３１には、入力装置４１および出力装置４２が接続される。
【００８８】
入力装置４１は、マウス、キーボード、ポインタ等の構成要素によって構成することができる。出力装置４２は、表示装置によって構成することができるがプリンタやスピーカにより構成してもよい。
【００８９】
線量取得部３６は、ネットワーク３３を介して各Ｘ線ＣＴ装置３５からＸ線の線量の測定値を定期的に或いは所望のタイミングで取得する機能と、取得したＸ線の線量の測定値をＸ線ＣＴ装置３５の識別情報と関連付けて線量データベース３８に書き込む機能とを有する。
【００９０】
補正係数取得部３７は、ネットワーク３３を介して各Ｘ線ＣＴ装置３５から被検体Ｏの被曝線量の推定値を補正するための補正係数を定期的に或いは所望のタイミングで取得する機能と、取得した補正係数をＸ線ＣＴ装置３５の識別情報と関連付けて補正係数データベース３９に書き込む機能とを有する。
【００９１】
線量データベース３８は、線量取得部３６によって取得された時系列のＸ線の線量の測定値をＸ線ＣＴ装置３５の識別情報と関連付けて保存する機能を有する。
【００９２】
補正係数データベース３９は、補正係数取得部３７によって取得された被検体Ｏの被曝線量の推定値に対する時系列の補正係数をＸ線ＣＴ装置３５の識別情報と関連付けて保存する機能を有する。
【００９３】
線量評価部４０は、線量データベース３８から時系列のＸ線の線量の測定値を取得して値または時間的な変動を評価することによって対応するＸ線ＣＴ装置３５の異常を監視する機能と、評価結果、すなわちＸ線ＣＴ装置３５の監視結果を出力装置４２に出力させる機能を有する。
【００９４】
同様に、線量評価部４０は、補正係数データベース３９から時系列の補正係数を取得して値または時間的な変動を評価することによって対応するＸ線ＣＴ装置３５の異常を監視する機能と、評価結果、すなわちＸ線ＣＴ装置３５の監視結果を出力装置４２に出力させる機能を有する。
【００９５】
例えば、線量評価部４０は、Ｘ線の線量の測定値の時間的な変動幅または補正係数の時間的な変動幅を予め決定されたそれぞれの閾値と比較することによってＸ線ＣＴ装置３５が異常と判定される場合に警告情報を出力装置４２に出力させるように構成される。
【００９６】
次に線量表示システム３０の動作および作用について説明する。
【００９７】
図６は、図５に示す線量表示システム３０によりユーザ側３４のＸ線ＣＴ装置３５の異常をサービス部門側３２の線量表示サーバ３１により監視する際の処理手順を示すフローチャートであり、図中Ｓに数字を付した符号はフローチャートの各ステップを示す。
【００９８】
まずステップＳ２０において、線量取得部３６がネットワーク３３を介して各Ｘ線ＣＴ装置３５からＸ線の線量の測定値を取得する。また、補正係数取得部３７が、ネットワーク３３を介して各Ｘ線ＣＴ装置３５から被検体Ｏの被曝線量の推定値を補正するための補正係数を取得する。Ｘ線の線量の測定値および補正係数は、各Ｘ線ＣＴ装置３５に一旦保存され、定期的に線量取得部３６および補正係数取得部３７が取得するようにしてもよいし、入力装置４１からＸ線の線量の測定値および／または補正係数の取得指示が線量取得部３６および／または補正係数取得部３７に与えられた場合に取得指示をトリガとして線量取得部３６および／または補正係数取得部３７が取得するようにしてもよい。
【００９９】
また、各Ｘ線ＣＴ装置３５において、Ｘ線の線量の測定値および／または補正係数が得られた場合に各Ｘ線ＣＴ装置３５からトリガ信号が線量取得部３６および／または補正係数取得部３７にネットワーク３３を介して与えられるようにし、線量取得部３６および／または補正係数取得部３７がトリガ信号に応答して各Ｘ線ＣＴ装置３５からＸ線の線量の測定値および／または補正係数を取得するようにしてもよい。
【０１００】
次に、ステップＳ２１において、線量取得部３６は取得した線量を対応するＸ線ＣＴ装置３５の識別情報と関連付けて線量データベース３８に書き込む。また、補正係数取得部３７は取得した補正係数を対応するＸ線ＣＴ装置３５の識別情報と関連付けて補正係数データベース３９に書き込む。この結果、線量データベース３８は、線量取得部３６によって取得された時系列のＸ線の線量の測定値がＸ線ＣＴ装置３５の識別情報と関連付けられて保存される。また、補正係数データベース３９は、補正係数取得部３７によって取得された時系列の補正係数がＸ線ＣＴ装置３５の識別情報と関連付けられて保存される。
【０１０１】
次に、ステップＳ２２において、線量評価部４０は、線量データベース３８から時系列のＸ線の線量の測定値を取得して値または時間的な変動を評価することによって対応するＸ線ＣＴ装置３５の異常を監視する。また、線量評価部４０は、補正係数データベース３９から時系列の補正係数を取得して値または時間的な変動を評価することによって対応するＸ線ＣＴ装置３５の異常を監視する。
【０１０２】
例えば、Ｘ線の線量の測定値および補正係数の一方または双方に対して、それぞれ上限値および下限値が閾値として決定され、Ｘ線の線量の測定値および補正係数の少なくとも一方が閾値外となった場合に対応するＸ線ＣＴ装置３５が異常と判定することができる。または、Ｘ線の線量の測定値および補正係数の少なくとも一方が前回取得時または基準値から一定の割合、例えば２０％以上変化した場合に対応するＸ線ＣＴ装置３５が異常と判定することもできる。
【０１０３】
次に、ステップＳ２３において、線量評価部４０は、Ｘ線ＣＴ装置３５の監視結果を出力装置４２に出力させる。特に、異常と判定されるＸ線ＣＴ装置３５が存在する場合には、線量評価部４０は、メッセージ、音声、ランプの点灯等の任意の手段によって警告情報を出力する。
【０１０４】
図７は、図５に示す線量表示システム３０の出力装置４２から出力されるＸ線ＣＴ装置３５の監視結果の一例を示す図である。
【０１０５】
図７に示すように例えば、Ｘ線ＣＴ装置３５の監視結果が画面として出力装置４２に表示される。図７の例では、２つのＸ線ＣＴ装置３５(SYSTEM 1, SYSTEM 2)におけるそれぞれのＸ線の線量(DOSE)および補正係数(CORRECTION COEFFICIENT)の時間変化が監視結果として表示されている。そして、線量および補正係数の上限値および下限値が点線として表示されており、SYSTEM 2として識別されるＸ線ＣＴ装置３５の線量が上限値を超えたため警告情報として”ABNORMAL”というメッセージが表示されている。
【０１０６】
このようなネットワーク３３を利用したＸ線ＣＴ装置３５の遠隔監視の結果表示によりサービス部門側３２の担当者は、ユーザ側３４に赴くことなく所望のタイミングでＸ線ＣＴ装置３５におけるＸ線の線量の異常を検知することが可能となる。
【０１０７】
つまり以上のような線量表示システム３０は、Ｘ線ＣＴ装置３５の線量計プローブで測定された線量の測定値や測定値を反映した補正係数をサービス部門側３２の線量表示サーバ３１がネットワーク３３を利用してリモートモニタし、Ｘ線の線量の測定値や補正係数の管理を行えるようにしたものである。
【０１０８】
このため、線量表示システム３０によれば、Ｘ線の線量の測定値や補正係数がネットワーク３３を介してサービス部門側３２にリモート送信されるため、時間的な変動をチェックすることができる。例えば、月別の線量の測定値の変動、線量の測定値の季節変動、規格値に対する測定値の乖離量等の所望のチェック項目をサービス部門側３２の担当者がユーザ側３４に赴くことなく容易にチェックすることが可能となる。
【図面の簡単な説明】
【０１０９】
【図１】本発明に係るＸ線ＣＴ装置の実施の形態を示す構成図。
【図２】図１に示すコンピュータ装置の機能ブロック図。
【図３】図１に示すＸ線ＣＴ装置において、スキャン条件の設定時に表示装置に表示される被検体の被曝線量の推定値を補正するための補正係数を求め、求めた補正係数を用いて被検体の被曝線量の推定値を補正して表示させる際の流れを示すフローチャート。
【図４】図１に示すＸ線ＣＴ装置が複数台存在する場合に表示装置１２ｃにスキャン条件とともに表示される被検体の被曝線量の推定値の一例を示す図。
【図５】本発明に係る線量表示システムの実施の形態を示す機能ブロック図。
【図６】図５に示す線量表示システムによりユーザ側のＸ線ＣＴ装置の異常をサービス部門側の線量表示サーバ３１により監視する際の処理手順を示すフローチャート。
【図７】図５に示す線量表示システムの出力装置から出力されるＸ線ＣＴ装置の監視結果の一例を示す図。
【図８】従来のＸ線ＣＴ装置における被検体の被曝線量の推定値の表示手順を示すフローチャート。
【図９】従来の複数のＸ線ＣＴ装置のコンソールに表示される被検体の被曝線量の推定値と、Ｘ線の測定値とを比較した例を示す図。
【符号の説明】
【０１１０】
１０  Ｘ線ＣＴ装置
１１  ガントリ部
１２  コンピュータ装置
１２ａ  演算装置
１２ｂ  記憶装置
１２ｃ  表示装置
１２ｄ  入力装置
１２ｅ  コンソール
１３  Ｘ線管
１４  高電圧発生装置
１５  Ｘ線検出器
１６  データ収集部（DAS）
１７  線量計プローブ
１８  プローブ着脱機構
１９  プローブ移動機構
２０  プローブ制御部
２１  線量パラメータテーブル
２２  スキャン条件設定部
２３  推定線量検索部
２４  補正係数算出部
２５  推定線量補正部
２６  データ処理部
３０  線量表示システム
３１  線量表示サーバ３１３１
３２  サービス部門側
３３  ネットワーク
３４  ユーザ側
３５  Ｘ線ＣＴ装置
３６  線量取得部
３７  補正係数取得部
３８  線量データベース
３９  補正係数データベース
４０  線量評価部
４１  入力装置
４２  出力装置
Ｏ  被検体
【図１】
2008073201.tif 000003
【図２】
2008073201.tif 000004
【図３】
2008073201.tif 000005
【図４】
2008073201.tif 000006
【図５】
2008073201.tif 000007
【図６】
2008073201.tif 000008
【図７】
2008073201.tif 000009
【図８】
2008073201.tif 000010
【図９】
2008073201.tif 000011